(57)【要約】【課題】電動送風機の排気通路に設けた微塵フィルターが目詰まりした場合でも、排気圧力や排気熱に対し微塵フィルターをめくれ難くし捕集性能の維持と異音発生を防止する。【解決手段】微塵フィルター５を、防音筒６とスペーサー１０の外側の部材との間に配置したスペーサー１０を介して挟持することにより、スペーサー１０で微塵フィルター５の下流側を支持することが可能となり、微塵フィルター５が目詰まりした場合においても、電動送風機３の排気圧力や排気熱に対して微塵フィルター５がめくれ難く、微塵捕集性能の維持と異音発生を防止することができる。【選択図】図２
2014045838.tif 000002
【特許請求の範囲】
【請求項１】
電動送風機を内包する防音筒と、
前記防音筒の排気出口を覆う略シート状に形成した微塵フィルターと、
前記微塵フィルターの下流側に風路を有したスペーサーと、を備え、
前記微塵フィルターを、前記防音筒の排気出口を押し付け覆うように、
前記防音筒と前記スペーサーの外側の部材との間に配置した前記スペーサーを介して挟持した電気掃除機。
【請求項２】
スペーサーを通気性のある軟質材で形成した請求項１に記載の電気掃除機。
【請求項３】
スペーサーの通気孔を微塵フィルターよりも粗く、通気性の高い軟質材で形成した請求項２に記載の電気掃除機。
【請求項４】
スペーサーにおける防音筒の排気出口の対向部に、開口穴状もしくは開口凹状の通風空間を配設した請求項１〜３のいずれか１項に記載の電気掃除機。
【請求項５】
微塵フィルターとスペーサーとを、前記スペーサーの下流側に配置した通気性のある支持部材に固定した請求項１〜４のいずれか１項に記載の電気掃除機。
【発明の詳細な説明】
【技術分野】
【０００１】
本発明は、電動送風機を内包する防音筒の排気出口を覆うように微塵フィルターを設けた電気掃除機に関するものである。
【背景技術】
【０００２】
従来、この種の電気掃除機の微塵フィルターの取り付け手段は、略シート状の軟質材で形成された微塵フィルターを直接防音筒の排気出口又は排気出口の上流側に取り付けている（例えば、特許文献１参照）。
【先行技術文献】
【特許文献】
【０００３】
【特許文献１】特開平５−９５８６０号公報
【発明の概要】
【発明が解決しようとする課題】
【０００４】
しかしながら、前記従来の構成では、特に微塵フィルターが略シート状の軟質材で形成された場合、微塵フィルターの目が細かく、電動送風機からの排気圧力を受け易いと共に、電動送風機の排気熱により微塵フィルター自体と微塵フィルター取付部が共に軟化し易く、微塵フィルターがめくれ、微塵捕集性能が低下したり、異音が発生する可能性があり、特に、長時間の使用により微塵フィルターが目詰まりすると、さらにその可能性が高くなるという課題を有していた。
【０００５】
本発明は、前記従来の課題を解決するもので、微塵フィルターのめくれを低減し、微塵捕集性能の維持と異音発生を防止した電気掃除機を提供することを目的とする。
【課題を解決するための手段】
【０００６】
前記従来の課題を解決するために本発明の電機掃除機の微塵フィルターの取り付け手段は、電動送風機を内包する防音筒と、前記防音筒の排気出口を覆う略シート状に形成した微塵フィルターと、前記微塵フィルターの下流側に風路を有したスペーサーと、を備え、前記微塵フィルターを、前記防音筒の排気出口を押し付け覆うように、前記防音筒と前記スペーサーの外側の部材との間に配置した前記スペーサーを介して挟持したものである。
【０００７】
これによって、微塵フィルターが略シート状の軟質材で形成されている場合においても、微塵フィルターは、スペーサーで下流側を支持されているため、微塵フィルターが目詰まりした場合においても、電動送風機からの排気圧力や排気熱に対してめくれ難く、微塵捕集性能の維持と異音発生を防止することができる。
【発明の効果】
【０００８】
本発明の電機掃除機の微塵フィルターの取り付け手段は、微塵フィルターのめくれを低減し、微塵捕集性能の維持と異音発生を防止することができる。
【図面の簡単な説明】
【０００９】
【図１】本発明の実施の形態１における電気掃除機本体の外観斜視図
【図２】同電気掃除機本体の微塵フィルターの取付状態を示す縦断面図
【図３】同電気掃除機本体の防音筒の排気出口と排気の流れを示す分解斜視図
【図４】同電気掃除機本体の微塵フィルター近傍を示す分解斜視図
【図５】同電気掃除機本体の微塵フィルターと排気の流れを示す分解斜視図
【図６】同電気掃除機本体の電源コード冷却口近傍と排気の流れを示す分解斜視図
【発明を実施するための形態】
【００１０】
第１の発明は、電動送風機を内包する防音筒と、前記防音筒の排気出口を覆う略シート状に形成した微塵フィルターと、前記微塵フィルターの下流側に風路を有したスペーサーと、を備え、前記微塵フィルターを、前記防音筒の排気出口を押し付け覆うように、前記防音筒と前記スペーサーの外側の部材との間に配置した前記スペーサーを介して挟持したことにより、微塵フィルターが略シート状の軟質材で形成されている場合においても、スペーサーで微塵フィルターの下流側を支持することにより、微塵フィルターが目詰まりした場合においても、電動送風機の排気圧力や排気熱に対してめくれ難く、微塵捕集性能の維持と異音発生を防止することができる。
【００１１】
第２の発明は、特に、第１の発明のスペーサーを通気性のある軟質材で形成したことにより、スペーサーの柔軟性を利用し、取り付け面が凹凸のある異形であっても、微塵フィルターを防音筒の排気出口に押し付けフィットさせ、密着性を上げることが可能となり、シンプルな構成で微塵捕集性能の維持と異音発生を防止することができる。
【００１２】
第３の発明は、特に、第２の発明のスペーサーの通気孔を微塵フィルターよりも粗く、通気性の高い軟質材で形成したことにより、スペーサーでの排気圧力損失が低減し、排気が微塵フィルター通過後、スペーサーを通過する時の通気抵抗を低減することが可能となり、吸込力の低下を軽減することができる。
【００１３】
第４の発明は、特に、第１〜３のいずれか１つの発明のスペーサーにおける防音筒の排気出口の対向部に、開口穴状もしくは開口凹状の通風空間を配設したことにより、微塵フィルターをスペーサーの通風空間以外の部分で防音筒の排気出口に押し付けフィットさせつつ、スペーサーの排気通過部が減少し、さらに通風空間内で排気が全方向に分散し易くなるため、排気が微塵フィルター通過後、スペーサーを通過する時の通気抵抗をさらに低減することが可能となり、吸込力の低下をさらに軽減することができる。
【００１４】
第５の発明は、特に、第１〜４のいずれか１つの発明の微塵フィルターとスペーサーとを、前記スペーサーの下流側に配置した通気性のある支持部材に固定したことにより、微塵フィルターとスペーサーの位置ズレを防止、方向規制ができると共に、支持部材に通気性があるため、防音筒の排気出口から正面方向に抜ける排気通路も確保され、排気が微塵フィルター通過後、スペーサーを通過する時の通気抵抗をよりいっそう低減することが可能となり、吸込力の低下をよりいっそう軽減することができる。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における電気掃除機本体１の外観斜視図である。
図１において、電気掃除機本体１は、吸込口体（図示せず）と延長管（図示せず）と連通するホース（図示せず）を接続し、前部にホースと連通する吸引口２、後部に電動送風機３、吸引口２と電動送風機３との間に集塵部４を配設している。
【００１７】
図２は、同、電気掃除機本体１の微塵フィルター５の取り付け状態を示す要部断面図、図３は、同電気掃除機本体１の防音筒６の排気出口７と排気の流れを示す分解斜視図、図４は、同電気掃除機本体１の微塵フィルター５近傍を示す分解斜視図、図５は、同電気掃除機本体１の微塵フィルター５と排気の流れを示す分解斜視図である。
【００１８】
図２〜５において、電動送風機３を防音筒６に内包しており、その吸気側は、集塵部４と連通するように配設している一方で、その排気側は、防音筒６の下方に配設された排気出口７を介して、排気通路８、本体排気口９と連通するように配設している。
【００１９】
ここで、排気通路８内の排気出口７の下流側には、静電気を保持した繊維で形成したシート状の微塵フィルター５と、２５ｍｍ間に８個程度のセルがある完全オープンセル構造のウレタンフォームで形成され、微塵フィルター５よりも高い通気性と柔軟性及びブロック状のスペーサー１０と、排気通路８内に電気掃除機本体１の下側外郭を形成する下ケース１１の内面に沿うように取り付けた目付け６００ｇ／ｍ２程度のフェルトで形成した通気性のあるシート状の防音材１２と、を配設している。
【００２０】
そして、微塵フィルター５とスペーサー１０は、防音材１２にホッチキス止めされており、また、スペーサー１０は、微塵フィルター５を周辺に凹凸がある排気出口７に押し付けるだけの厚みを有している。
【００２１】
また、図２、図５に示すように、スペーサー１０の防音筒６の排気出口７の対向部には、開口穴状の第一通風空間１３を配設している。
【００２２】
図６は、本発明の第１の実施の形態における電気掃除機本体１の電源コード冷却口１４近傍と排気の流れを示す分解斜視図である。
図６において、電源コード１５を収容するコードリール１６を回転可能に支持するコードリール隔壁１７を防音筒６に隣接して配設しており、コードリール隔壁１７の下方には、電動送風機３の排気の一部を電源コード１５側へ迂回させ、電源コード１５を冷却するための電源コード冷却口１４を配設している。
【００２３】
ここで、微塵フィルター５とスペーサー１０の電源コード冷却口１４の対向部には、スペーサー１０を切り欠くことで形成した第二通風空間１９を配設している。
【００２４】
以下に、以上のように構成された電気掃除機の動作と微塵フィルターの取り付け手段の作用について説明する。
まず、電気掃除機本体１を運転状態にすると、掃除面の塵埃は、電動送風機３の吸引力により吸込口体、延長管、ホースを介して集塵部４内に吸引される。
【００２５】
一方、電動送風機３の排気は、防音筒６の排気出口７、微塵フィルター５、スペーサー１０、一部、防音材１２を介した後、一部は排気通路８を介して本体排気口９、一部は排気通路８から電源コード冷却口１４と電源コード収容部２０を介して電源コード出口部２１から電気掃除機本体１の外部に放出される。
【００２６】
ここで、集塵部４で捕集できなかった微塵は、微塵フィルター５及び一部は本体排気口９に配設した排気フィルター（図示せず）と電源コード冷却口１４に配設した隔壁フィルター（図示せず）で大半を捕集される。
【００２７】
また、微塵フィルター５を通過した排気は、第一通風空間１３内であらゆる方向に分散され、スペーサー１０、一部は防音材１２を介して排気通路８に流入する。
【００２８】
また、微塵フィルター５、スペーサー１０は、電源コード冷却口１４と隣接しているが、第二通風空間１９を配設することにより電源コード冷却口１４は閉塞されることはないので、排気の一部は電源コード冷却口１４を介してスムーズに電源コード収容部２０に流入し、電源コード１５を冷却する。
【００２９】
以上のように、本実施の形態１では、スペーサー１０で微塵フィルター５の下流側を支持することにより、微塵フィルター５が目詰まりした場合においても、電動送風機３の排気圧力や排気熱に対してめくれ難く、微塵捕集性能の維持と異音発生を防止することができる。
【００３０】
また、スペーサー１０を通気性のある軟質材で形成し、排気出口７と下ケース１１との間に圧入配置することにより、スペーサー１０の柔軟性を利用し、排気出口７と下ケース１１の取り付け面が凹凸のある異形であっても、微塵フィルター５を防音筒６の排気出口７に押し付けフィットさせ、密着性を上げることが可能となり、シンプルな構成で微塵捕集性能の維持と異音発生を防止することができる。
【００３１】
また、スペーサー１０を微塵フィルター５よりも通気孔が粗く、通気性の高い軟質材で形成することにより、スペーサー１０での排気圧力損失が低減し、排気が微塵フィルター５通過後、スペーサー１０を通過する時の通気抵抗を低減することが可能となり、吸込力の低下を軽減することができる。
【００３２】
また、スペーサー１０の防音筒６の排気出口７の対向部に開口穴状の第一通風空間１３を配設することにより、微塵フィルター５をスペーサー１０の第一通風空間１３以外の部分で防音筒６の排気出口７に押し付けフィットさせつつ、スペーサー１０の排気通過部が減少し、さらに第一通風空間１３内で排気が全方向に分散し易くなるため、排気が微塵フィルター５通過後、スペーサー１０を通過する時の通気抵抗をさらに低減することが可能となり、吸込力の低下をさらに軽減することができる。
【００３３】
また、微塵フィルター５とスペーサー１０を、スペーサー１０の下流側に位置した通気性のある防音材１２に支持固定することにより、微塵フィルター５とスペーサー１０の位置ズレを防止、方向規制ができると共に、防音材１２に通気性があるため、防音筒６の排気出口７から正面方向に抜ける排気通路も確保され、排気が微塵フィルター５通過後、スペーサー１０を通過する時の通気抵抗をよりいっそう低減することが可能となり、吸込力の低下をよりいっそう軽減することができる。
【００３４】
また、近年、微塵フィルター５、スペーサー１０と同じ機能を果たすため、枠体内にプリーツ状に折り曲げたＨＥＰＡフィルターなどを一体に形成した箱状微塵フィルターを防音筒６の排気出口７に固定する手段が多く採用されているが、このような箱状微塵フィルターは、一体に形成するためにコストがかかると共に、箱状の取付スペースと取付構成が必要になる。
【００３５】
これに対して、本願発明の構成であるシート状の微塵フィルター５を中央に開口穴状の第一通風空間１３を設けたブロック状のスペーサー１０を介して挟持することにより、微塵フィルター５とスペーサー１０は抜き型で形成可能となり、安価な物作りができ、かつ電気掃除機本体１を小型・軽量化することができる。
【００３６】
また、箱状微塵フィルターのＨＥＰＡフィルターなどの材質に比べ、シート状の微塵フィルター５やスペーサー１０の材質は吸音効果が期待できると共に、第一通風空間１３を配設することにより、排気が第一通風空間１３の通過前後で、空気の圧縮・膨張作用により、排気中の音の減衰効果も期待でき、さらには、防音材１２の第一通風空間１３の対向部での吸音効果も期待することができる。
【００３７】
なお、上記実施の形態１においては、スペーサーにおける防音筒の排気出口の対向部に、貫通穴である開口穴状の通風空間を配設した場合で説明したが、この開口穴状の通風空間を完全貫通していない開口凹状の通風空間を配設した場合でも、同様の効果が得られる
ことは言うまでもない。
【００３８】
また、微塵フィルター５とスペーサー１０を防音材１２などで支持固定せず、防音筒６と下ケース１１で直接挟持する場合は、微塵フィルター５とスペーサー１０とをホッチキス止めや糊引き等により固定すると共に、防音筒６や下ケース１１からズレ防止用の支持部を形成することで位置規制ができることは言うまでもない。
【産業上の利用可能性】
【００３９】
以上のように、本発明にかかる電気掃除機は、シンプルな構成かつ吸込力の低下を軽減しながら防音筒の排気出口に微塵フィルターを取り付け可能となるので、家庭用だけでなく業務用の電気掃除機等の用途にも適用できる。
【符号の説明】
【００４０】
３  電動送風機
５  微塵フィルター
６  防音筒
７  排気出口
８  排気通路
１０  スペーサー
１１  下ケース
１２  防音材
１３  第一通風空間
１９  第二通風空間
【図１】
2014045838.tif 000003
【図２】
2014045838.tif 000004
【図３】
2014045838.tif 000005
【図４】
2014045838.tif 000006
【図５】
2014045838.tif 000007
【図６】
2014045838.tif 000008